(57)【特許請求の範囲】
【請求項１】
ナースコール親機（１）と、前記ナースコール親機に接続された複数のナースコール子機（３a、３b、…）とを設け、前記ナースコール親機から前記ナースコール子機への選局・呼出・通話、前記ナースコール子機から前記ナースコール親機への呼出・通話を行なうナースコール装置であって、
前記ナースコール親機は、日勤・準夜勤・夜勤等の勤務体制の勤務体制設定スイッチ（４１ａ、４１ｂ、４１ｃ）と、前記勤務体制設定スイッチによって設定された勤務体制に応じて前記ナースコール親機から前記ナースコール子機への呼出・通話音量を音量調整する音量設定スイッチ（４１ｄ、４１ｅ）と、前記選局のデータ、前記勤務体制のデータおよび前記音量調整のデータの入力により音量制御を行なう音量制御部（４２）と、前記音量調整のデータを前記選局のデータおよび前記勤務体制のデータと共に記憶するメモリ（４３）と、前記ナースコール子機の前記選局のデータが前記音量制御部に入力されたとき前記音量制御部の制御によりその選局時における前記勤務体制設定スイッチからの勤務体制のデータを参照し前記メモリから前記選局のデータと前記勤務体制のデータと共に記憶されている前記音量調整のデータにより音量調整を行う電子ボリューム（４４）とを備えたことを特徴とするナースコール装置。
【発明の詳細な説明】
【０００１】
【発明の属する技術分野】
本発明はナースコール装置に係わり、特に、夜間および昼間など病室内の音響的環境に応じて、呼出音量および通話音量が連動し、変化するナースコール装置に関する。
【０００２】
【従来の技術】
従来から、この種のナースコール装置の一例として、図４に示すようなものが知られている。
【０００３】
図４は、従来のナースコール装置を示すブロック図である。同図において、従来のナースコール装置は、ナースステーションに設置されるナースコール親機６と、ベッドサイドに設置されるナースコール子機８とを備えており、ナースコール親機６は、集合廊下灯幹線９および集合廊下灯７を介してナースコール子機８に接続されている。ここで、ナースコール親機６は、各病室の患者からの呼び出しに応じて、または各病室の患者を呼び出して通話する機能を有している。また、ナースコール子機８は、各病室の患者がナースコール親機６を呼び出し、またはナースコール親機６からの呼び出しに応じて通話する機能を有している。
【０００４】
ナースコール親機６は、手動によるプリセット呼出音量調整器６１および手動によるプリセット送話音量調整器６２を備えている。
【０００５】
ナースコール子機８は、スピーカ８１、手動による受話音量調整器８２、マイク８３および通話回路８４を備えており、通話回路８４は、集合廊下灯７、スピーカ８１、受話音量調整器８２およびマイク８３に接続されている。
【０００６】
次に、このように構成された従来のナースコール装置の動作について説明する。先ず、周囲騒音の大きな昼間の時間帯においては、ナースコール親機６のプリセット呼出音量調整器６１およびプリセット送話音量調整器６２を、それぞれ手動により調整して、呼出音量および通話音量が最適になるように設定する。また、患者も、ナースコール子機８の受話音量調整器８２を、手動により調整して、患者本人にとって最適な音量に設定し、通常の使用状態に供する（特開平９−２６１３５４号公報参照）。
【０００７】
【発明が解決しようとする課題】
しかしながら、従来のナースコール装置においては、音量調整を周囲騒音の大きな昼間の時間帯を想定して設定すると、周囲騒音の小さな夜間の時間帯では音量が大き過ぎて他の患者の睡眠妨害となる虞がある。また、逆に音量調整を周囲騒音の小さな夜間の時間帯を想定して設定すると、周囲騒音の大きな昼間の時間帯では音量が小さ過ぎて通話に支障をきたす虞がある。
【０００８】
本発明は、このような難点を解消するためになされたもので、昼夜間の時間帯を問わず、常に最適な音量で通話が可能なナースコール装置を提供することを目的とする。
【０００９】
【課題を解決するための手段】
このような目的を達成するため、本発明のナースコール装置は、ナースコール親機と、ナースコール親機に接続された複数のナースコール子機とを設け、ナースコール親機からナースコール子機への選局・呼出・通話、ナースコール子機からナースコール親機への呼出・通話を行なうナースコール装置であって、ナースコール親機は、日勤・準夜勤・夜勤等の勤務体制の勤務体制設定スイッチと、勤務体制設定スイッチによって設定された勤務体制に応じてナースコール親機からナースコール子機への呼出・通話音量を音量調整する音量設定スイッチと、選局のデータ、勤務体制のデータおよび音量調整のデータの入力により音量制御を行なう音量制御部と、音量調整のデータを選局のデータおよび勤務体制のデータと共に記憶するメモリと、ナースコール子機の選局のデータが音量制御部に入力されたとき音量制御部の制御によりその選局時における勤務体制設定スイッチからの勤務体制のデータを参照しメモリから選局のデータと勤務体制のデータと共に記憶されている音量調整のデータにより音量調整を行う電子ボリュームとを備えたことを特徴としている。
【００１０】
本発明のナースコール装置によれば呼出音量および通話音量が、日勤、準夜勤、夜勤などの勤務体制に連動して変化するように設定されていることから、昼夜間の時間帯を問わず、常に最適な音量で通話を行なうことができる。
【００１１】
【発明の実施の形態】
以下、本発明のナースコール装置の好ましい実施の形態例について図面を参照して詳述する。
【００１２】
図１は、本発明によるナースコール装置の一実施例を示すブロック図である。同図において、本発明によるナースコール装置は、ナースステーションに設置されるナースコール親機１と、各ベッドサイドにそれぞれ設置される複数のナースコール子機３a、３b、…と、ナースコール親機１に接続され、通話音量を制御する音量制御手段４とを備えている。
【００１３】
ナースコール親機１は、通話信号および選局信号を伝送する集合廊下灯幹線５および集合廊下灯２ａ、２ｂ・・・を介してナースコール子機３a、３b、…にそれぞれ接続されている。
【００１４】
各ナースコール子機３ａ、３ｂ・・・は、それぞれ、スピーカ３１、手動による受話音量調整器３２、マイク３３および通話回路３４を備えており、各通話回路３４は、それぞれ集合廊下灯２ａ、２ｂ・・・、スピーカ３１、受話音量調整器３２、マイク３３に接続されている。ここで、各ナースコール子機３ａ、３ｂ・・・は、各病室の患者がナースコール親機１呼び出し、またはナースコール親機１からの呼び出しに応じて通話する機能を有している。
【００１５】
図２は、本発明におけるナースコール親機１の拡大正面図を示している。同図において、ナースコール親機１は、送受話部１１と、設定表示部１２と、選局表示部１３とを備えており、送受話部１１は、ハンドセット１１ａ、スピーカ１１ｂ、手動によるプリセット呼出音量調整器１１ｃ、手動によるプリセット送話音量調整器１１ｄ、受話音量調整スイッチ１１ｅ、呼出音量調整スイッチ１１ｆ、一斉放送ボタン１１ｇ、送話ボタン１１ｈおよび終話ボタン１１ｉの各部で構成されている。設定表示部１２は、日勤を設定するボタン１２ａ、準夜勤を設定するボタン１２ｂおよび夜勤を設定するボタン１２ｃ等を備えている。選局表示部１３は、選局スイッチ１３ａ、選局表示ＬＥＤ１３ｂ、救護区分１３ｃ、ネームプレート１３ｄ、情報プレート１３ｅ等を備えている。ここで、ナースコール親機１は、各病室の患者から呼び出されて通話し、または各病室の患者を呼び出して通話する機能を有している。
【００１６】
図３は、本発明における音量制御手段のブロック図を示している。同図において、音量制御手段４は、日勤を設定するボタン１２ａの操作により連動する日勤設定スイッチ４１ａと、準夜勤を設定するボタン１２ｂの操作により連動する準夜勤設定スイッチ４１ｂと、夜勤を設定するボタン１２ｃの操作により連動する夜勤設定スイッチ４１ｃと、プリセット呼出音量調整器１１ｃおよびプリセット送話音量調整器１１ｄにそれぞれ連動し、勤務体制設定スイッチ４１ａ、４１ｂ、４１ｃによって設定された勤務体制に応じてナースコール親機１からナースコール子機３a、３b、…への呼出・通話音量を音量調整する音量設定スイッチ４１ｄ、４１ｅと、選局のデータ、勤務体制のデータおよび音量調整のデータの入力により音量制御を行なう音量制御部４２と、音量調整のデータを選局のデータおよび勤務体制のデータと共に記憶するメモリ４３と、ナースコール子機３a、３b、…の選局のデータが音量制御部４２に入力されたとき音量制御部４２の制御によりその選局時における勤務体制設定スイッチからの勤務体制のデータを参照しメモリ４３から選局のデータと勤務体制のデータと共に記憶されている音量調整のデータにより音量調整を行う電子ボリューム４４とを備えている。
【００１７】
次に、本発明によるナースコール装置の動作について説明する。
本発明によるナースコール装置においては、ナースコール親機１の選局スイッチの押下操作により、ナースコール親機１からナースコール子機３a、３b、…への選局・呼出・通話が行なわれ、また、ナースコール子機３a、３b、…の呼出操作により、ナースコール子機３a、３b、…からナースコール親機１への呼出・通話が行なわれる。
【００１８】
例えば、ナースコール親機１の選局スイッチ１３ａをＯＮすることにより、ナースコール子機３aを呼び出し、通話状態にする。
【００１９】
次に、日勤・準夜勤・夜勤等の勤務体制の勤務体制設定ボタン１２ａ、１２ｂ、１２ｃのいずれかのボタンを押して、これに連動する勤務体制設定スイッチ４１ａ、４１ｂ、４１ｃのいずれかのスイッチをＯＮし、続いて、音量を増加するプリセット呼出音量調整器１１ｃ若しくは音量を減少するプリセット送話音量調整器１１ｄを操作して、これに連動する音量設定スイッチ４１ｄ若しくは音量設定スイッチ４１ｅのいずれかのスイッチをＯＮして、音量調整のデータを音量制御部４２へ入力させる。そうすると、この音量調整のデータにより、電子ボリューム４４が制御され、通話音量が調整される。この音量調整のデータは、選局データおよび勤務体制データと共にメモリ４３に記憶される。一方、ナースコール子機３の選局のデータは、選局信号として音量制御部４２に入力され、かかる選局信号の入力により、音量制御部４２が制御される。これにより、選局時における勤務体制設定スイッチからの勤務体制のデータが参照され、メモリ４３から、選局データと勤務体制のデータと共に記憶されている音量調整のデータが取り出され、これにより、電子ボリューム４４が制御され、設定された通話音量に調整される。
【００２０】
このように音量調整の設定は、ナースコール親機１でナースコール子機への選局・呼出・通話を行なって、勤務体制設定ボタン１２ａ、１２ｂ、１２ｃの操作に連動する勤務体制設定スイッチ４１ａ、４１ｂ、４１ｃのいずれかのスイッチをＯＮし、その次に、プリセット呼出音量調整器１１ｃまたはプリセット送話音量調整器１１ｄの操作に連動する音量設定スイッチ４１ｄ若しくは音量設定スイッチ４１ｅをＯＮすることにより行なう。
【００２１】
なお、前述の実施例においては、音量制御手段をナースコール親機に接続した場合について述べているが、本発明はこれに限定されず、音量制御手段はナースコール親機に内蔵させてもよい。
【００２２】
【発明の効果】
以上の説明から明らかなように、本発明のナースコール装置によれば、呼出音量および通話音量が、日勤、準夜勤、夜勤などの勤務体制に連動して変化するように設定されていることから、昼夜間の時間帯を問わず、常に最適な音量で通話を行なうことができる。
【図面の簡単な説明】
【図１】本発明によるナースコール装置の一実施例を示すブロック図。
【図２】本発明におけるナースコール親機を示す拡大正面図。
【図３】本発明におけるナースコール親機の音量制御手段を示すブロック図。
【図４】従来のナースコール装置を示すブロック図。
【符号の説明】
４１ａ、４１ｂ、４１ｃ……勤務体制設定スイッチ
４１ｄ、４１ｅ……音量設定スイッチ
４２……音量制御部
４３……メモリ
４４……電子ボリューム
【図１】
0004203198.tif 000002
【図２】
0004203198.tif 000003
【図３】
0004203198.tif 000004
【図４】
0004203198.tif 000005